(57)【要約】【課題】  オーバスペックである点を解決し、コスト面、また光伝送資源の面からみて有効であり、且つシステムの信頼性を向上できる光デジタル伝送装置を提供することを目的とする。【解決手段】  送信側装置が、受信側装置の監視又は制御を行うための監視制御信号と、送信する無線信号とを時分割多重してデジタル無線信号を出力する多重部２，６と、デジタル無線信号を電気信号から光信号に変換してデジタル光信号を出力する電気／光変換部３，５とを有し、受信側装置が、デジタル光伝送されたデジタル光信号を光信号から電気信号に変換してデジタル無線信号を出力する光／電気変換部３，５と、デジタル無線信号から無線信号と監視制御信号とを各々抽出して分離出力する分離部２，６とを有する光デジタル伝送装置である。【選択図】        図１
2005079788.tif 000002
【特許請求の範囲】
【請求項１】
デジタル光伝送を介してデジタル無線通信を行う送信側装置及び受信側装置から構成される光デジタル伝送装置であって、
送信側装置が、前記受信側装置の監視又は制御を行うための監視制御信号と、送信する無線信号とを時分割多重してデジタル無線信号を出力する多重部と、
前記デジタル無線信号を電気信号から光信号に変換してデジタル光信号を出力する電気／光変換部とを有し、
受信側装置が、デジタル光伝送されたデジタル光信号を光信号から電気信号に変換してデジタル無線信号を出力する光／電気変換部と、
前記デジタル無線信号から無線信号と監視制御信号とを各々抽出して分離出力する分離部とを有することを特徴とする光デジタル伝送装置。
【請求項２】
多重部が、入力される監視制御信号を特定の奇数回繰り返して繰り返し監視制御信号を出力する繰り返し処理部を有し、前記繰り返し監視制御信号と送信する無線信号とを時分割多重する多重部であり、
分離部が、デジタル無線信号から無線信号と繰り返し監視制御信号とを各々抽出し、前記抽出された繰り返し監視制御信号をビット毎にビットの値の多数決をとって誤り訂正された監視制御信号を分離出力する多数決処理部を有する分離部であることを特徴とする請求項１記載の光デジタル伝送装置。
【請求項３】
デジタル光伝送を介してデジタル無線通信を行う送信側装置及び受信側装置から構成され、前記送信側装置及び受信側装置では、複数系統で無線信号を処理する光デジタル伝送装置であって、
送信側装置が、前記受信側装置の監視又は制御を行うための監視制御信号を前記各系統に分配して出力する分配処理部と、
前記系統毎に、前記分配された監視制御信号を特定の奇数回繰り返して繰り返し監視制御信号を生成し、前記繰り返し監視制御信号と送信する無線信号とを時分割多重してデジタル無線信号を出力する多重部と、
前記各系統のデジタル無線信号を電気信号から光信号に変換してデジタル光信号を出力する電気／光変換部と、
前記各系統の前記デジタル光信号を光多重して出力する光多重部とを有し、
受信側装置が、デジタル光伝送されたデジタル光信号を各系統に分離する光分離部と、
前記各系統のデジタル光信号を光信号から電気信号に変換してデジタル無線信号を出力すると共に、各系統の回線状態を監視して回線品質の情報を出力する光／電気変換部と、
前記デジタル無線信号から無線信号と繰り返し監視制御信号とを各々抽出して分離し、前記抽出された無線信号を出力すると共に、前記抽出された繰り返し監視制御信号をビット毎にビットの値の多数決をとって誤り訂正された監視制御信号を出力し、前記多数決の際に全員一致であったか否かを示す多数決実行情報を出力する分離部と、
前記光／電気変換部からの前記各系統の回線品質の情報と、前記分離部からの各系統の誤り訂正された監視制御信号及び前記多数決実行情報とを入力し、前記各系統の誤り訂正された監視制御信号の中から、前記回線品質の情報、又は前記多数決実行情報、又はその両方に基づいて信頼性の高い誤り訂正された監視制御信号を選択して出力する選択処理部とを有することを特徴とする光デジタル伝送装置。
【発明の詳細な説明】
【技術分野】
【０００１】
本発明は、無線通信システムのインフラ設備に供される光デジタル通信を用いた伝送装置に係り、特に設備を縮小してコスト削減を図ることができ、更に装置の信頼性を向上できる光デジタル伝送装置に関する。
【背景技術】
【０００２】
デジタル移動体通信では、エリア全域をカバーするために、高出力の増幅器（以下、ＰＡ）が用いられる。高出力のＰＡは、アンテナに接続される場合、同軸ケーブルにて接続されるが、装置の保守上、アンテナとＰＡ間は、５０ｍ〜２００ｍも離される場合があり、その間での信号の劣化が問題となっていた。
【０００３】
また、別の問題として、ＰＡは、基地局の一部として取り扱われることが常識であり、その為、基地局は各地へ分散し、保守上、運用コスト上問題であった。
【０００４】
これらの問題を解決する為、基地局から、アンテナに近い無線部を切り離し、両者を光ファイバで接続し、上記問題を解決する光伝送システムがあった。
【０００５】
上記光伝送システムにおいて、光ファイバは、既存の設備を利用する場合は低価格で使用が可能で、運用コストが低減可能である事、また各地へ分散するのは、大規模な基地局では無く、比較的軽微な無線部分だけであるということから、保守上も好ましい形態となっている。
【０００６】
光ファイバにおける光伝送の信頼性が問題となるが、光ファイバの送受信機には、送信レベルモニタが設置可能で、送信側のレーザーダイオードが故障した場合は自立で検出可能であるし、もしもの場合に備えて、波長多重技術なるものを利用し、２重系を構築することも可能である。したがって、近年のデジタル光伝送では、信頼性も向上してきている。
【０００７】
光伝送技術を用いて移動体通信の基地局を実現する従来技術としては、平成１５（２００３）年１月２４日公開の特開２００３−２３３９６「移動体通信用光伝送装置」（出願人：株式会社日立国際電気、発明者：今荘義弘他）がある。
この従来技術は、基地局の打ちアンテナに近い無線部を切り離し、両者を光ファイバ、若しくは中間周波に変換された無線信号を伝送する同軸ケーブルで接続する移動体通信用光伝送装置であり、これにより、増幅装置の遠隔監視・制御を行えるようにしたものである。（特許文献１参照）。
【特許文献１】特開２００３−２３３９６公報（第４−６頁）
【発明の開示】
【発明が解決しようとする課題】
【０００８】
通常、移動体通信の基地局設備を光伝送システムを介して実現する場合、無線送受信を行うデータ信号と、光伝送を挟んだ装置間での制御に関連する制御信号とを光伝送システムを介して送受信することになる。
以降の説明では、無線送受信を行うデータ信号を無線信号と呼び、光伝送を挟んだ装置間の制御信号を監視制御信号と呼んで説明する。
【０００９】
光伝送システムを使って基地局設備を実現し、無線信号と監視制御信号とを送受信する一般的に考えられる光デジタル伝送装置について図１５を使って説明する。図１５は、一般的に考えられる光デジタル伝送装置の概略構成ブロック図である。
一般的に考えられる光デジタル伝送装置は、大きく光伝送路４と、光伝送路４を挟んで左側の構成（上位装置とする）と、右側の構成（下位装置）とに分けられる。
尚、図１５においては、光送受信を行う構成を示していないが、光伝送路４に光送受信を行う構成が含まれるものとして、以下説明を行う。
また、図１５において、左から右方向を下り回線、右から左方向を上り回線として説明する。
【００１０】
そして、上位装置は、移動体通信の基地局（図では、基地局（相当装置））１と、無線信号に対して電気／光変換（Ｅ／Ｏ変換）又は光／電気変換（Ｏ／Ｅ変換）とを行うデジタル光Ｉ／Ｆ部３-1と、監視制御信号に対して電気／光変換（Ｅ／Ｏ変換）又は光／電気変換（Ｏ／Ｅ変換）とを行うデジタル光Ｉ／Ｆ部３-2と、無線信号及び監視制御信号の光信号を波長多重又は分離する光多重分離部１１とから構成されている。
【００１１】
また、下位装置は、無線信号及び監視制御信号の光信号を波長多重又は分離する光多重分離部１２と、無線信号に対して電気／光変換（Ｅ／Ｏ変換）又は光／電気変換（Ｏ／Ｅ変換）とを行うデジタル光Ｉ／Ｆ部５-1と、監視制御信号に対して電気／光変換（Ｅ／Ｏ変換）又は光／電気変換（Ｏ／Ｅ変換）とを行うデジタル光Ｉ／Ｆ部５-2と、無線信号の変復調を行う無線部７と、監視制御信号を用いて上位装置と下位装置間の監視又は制御を行う監視制御部８と、送信する無線信号の増幅を行う増幅器９と、アンテナ１０とから構成されている。
【００１２】
図１５に示す光デジタル伝送装置の下り回線の動作としては、基地局１から（下り）無線信号及び（下り）監視制御信号が出力され、送信無線信号はデジタル光Ｉ／Ｆ部３-1でＥ／Ｏ変換されて光信号となり、監視制御信号は、デジタル光Ｉ／Ｆ部３-2でＥ／Ｏ変換されて光信号となり、送信無線信号及び監視制御信号の各光信号が光多重分離部１１で波長多重され、光伝送路４に出力されて送信される。
【００１３】
そして、光伝送路４で光伝送され受信された送信無線信号及び監視制御信号の光信号が、光多重分離部１２で波長分離され、送信無線信号の光信号はデジタル光Ｉ／Ｆ部５-1でＯ／Ｅ変換されて送信無線信号が出力され、監視制御信号の光信号は、デジタル光Ｉ／Ｆ部５-2でＯ／Ｅ変換されて監視制御信号が出力される。
【００１４】
そして、デジタル光Ｉ／Ｆ部５-1から出力された送信無線信号は、無線部７で変調され、増幅器９で増幅されてアンテナ１０から発信される。
一方、デジタル光Ｉ／Ｆ部５-2から出力された監視制御信号は、監視制御部８に入力されて、上位装置と下位装置間の監視又は制御に用いられる。
【００１５】
図１５に示す光デジタル伝送装置の上り回線の動作としては、アンテナ１０で受信された（上り）無線信号が、無線部７で復調されて、デジタル光Ｉ／Ｆ部５-1でＥ／Ｏ変換されて受信無線信号の光信号が出力され、一方、監視制御部８から出力される（上り）監視制御信号が、デジタル光Ｉ／Ｆ部５-2でＥ／Ｏ変換されて監視制御信号の光信号が出力されて、受信無線信号及び監視制御信号の各光信号が光多重分離部１２で波長多重され、光伝送路４に出力されて送信される。
【００１６】
そして、光伝送路４で光伝送され受信された受信無線信号及び監視制御信号の光信号が、光多重分離部１１で波長分離され、受信無線信号の光信号はデジタル光Ｉ／Ｆ部３-1でＯ／Ｅ変換されて受信無線信号が出力され、監視制御信号の光信号は、デジタル光Ｉ／Ｆ部３-2でＯ／Ｅ変換されて監視制御信号が出力され、各々が基地局１に入力されて処理されるようになっている。
【００１７】
上記図１５の構成の光デジタル伝送装置では、無線信号と監視制御信号とを別々に設けたデジタル光Ｉ／Ｆ部３-1、３-2（下位装置ではデジタル光Ｉ／Ｆ部５-1、５-2）でＥ／Ｏ変換又はＯ／Ｅ変換し、光多重分離部１１（下位装置では光多重分離部１２）で無線信号と監視制御信号各々に一つの波長を割り当てて波長多重を行っている。
【００１８】
しかしながら、一般的に監視制御信号は光伝送を行うほど高速に伝送する必要はなく、上記構成では、わざわざ監視制御信号用にデジタル光Ｉ／Ｆ部３、５を設けたり、光多重分離部１１、１２において監視制御信号用に一つの波長を割り当てている点がオーバスペックであり、コスト面からみても経済的でなく、また光伝送資源の活用の面から見ても有効活用されていないという問題点（第１の問題点）があった。
【００１９】
また、上記光デジタル伝送装置において、光伝送の送信側に供されるレーザーダイオードに経年変化、温度変化が生じ、光伝送において送信断となるレベルまでは行かなくとも、レベル低下を起こしたり、光ファイバにて何かしら問題が発生した場合（例えば、道路工事などで振動が発生し、振動自体が光伝送の品質を低下させたり、振動によって光ファイバのコネクタ間の隙間が増大し、光レベルが低下する等)では、光伝送路４で誤りビットが発生する可能性がある。
【００２０】
光デジタル伝送には、いくつか規格が存在し、一般的には、誤り率が10E-12、10E-10など、低い誤り率でのデータ伝送が主流である。図１６によれば、誤り率10E-12を達成するためには、Ｓ／Ｎ＝１４ｂＢが必要となる。今、この品質が達成できている状態において、送信側レーザーダイオードの不具合により、Ｓ／Ｎが４ｄＢレベル低下したとする。図１６は、光伝送における誤り率対所要Ｓ／Ｎの関係を示す説明図である。
【００２１】
この時、例えば、５ｄＢステップの光量モニタでは、光量は変化したと見なさないことになる。しかし、図１６によれば、４ｄＢレベル低下した場合の誤り率は、４×１０Ｅ−６であり、光伝送区間のビットレートは、ある規格では２．４８８３２Ｇbpsである。この状態では、
２．４８８３２×１０Ｅ＋９×４×１０Ｅ−６＝９．９５３２８×１０Ｅ＋3
となる。つまり、1秒間に約、一万ビットの誤りが発生する。この一万ビットが1秒間に均等に発生したとすると、約１００μｓｅｃに1度ビットが誤る事に相当する。
【００２２】
通常、無線送受信するデータ信号は、例えば基地局１と移動局（図示せず）との間の無線送受信システムにおいて、伝送路誤りを検出・訂正するための仕組みが設けられているため、たとえ光伝送レベルで誤りが発生しても、当該誤りを検出・訂正の仕組みによって回復できる可能性がある。
【００２３】
それに対して、監視制御信号のデータに光伝送の過程でビット誤りが発生した場合、光伝送を挟んだ装置間での制御に重大な影響を与え、すなわち図１５に示した光デジタル伝送装置（システム）に重大な影響を与えることは明白である。
図１５の構成では、特に監視制御信号の伝送誤りを訂正する手段が設けられておらず、装置設備全体、最終的には移動通信システム全体としての信頼性が低いという問題点（第２の問題点）があった。
【００２４】
本発明は上記実情に鑑みて為されたもので、オーバスペックである点を解決し、コスト面、また光伝送資源の面からみて有効であり、且つ装置設備の信頼性を向上できる光デジタル伝送装置を提供することを目的とする。
【課題を解決するための手段】
【００２５】
上記問題点を解決するための本発明は、デジタル光伝送を介してデジタル無線通信を行う送信側装置及び受信側装置から構成される光デジタル伝送装置であって、送信側装置が、受信側装置の監視又は制御を行うための監視制御信号と、送信する無線信号とを時分割多重してデジタル無線信号を出力する多重部と、デジタル無線信号を電気信号から光信号に変換してデジタル光信号を出力する電気／光変換部とを有し、受信側装置が、デジタル光伝送されたデジタル光信号を光信号から電気信号に変換してデジタル無線信号を出力する光／電気変換部と、デジタル無線信号から無線信号と監視制御信号とを各々抽出して分離出力する分離部とを有することを特徴としているので、無線信号と監視制御信号の光伝送用の設備（電気／光変換部及び光／電気変換部）を共用とし、無線信号と監視制御信号との多重化を電気信号段階の簡単で安価に実現できる多重部及び分離部で構成することにより、全体構成を縮小でき、更に無線信号と監視制御信号への波長割り当ても共用として光伝送資源を有効活用できる。
【００２６】
また、本発明は、上記光デジタル伝送装置において、多重部が、入力される監視制御信号を特定の奇数回繰り返して繰り返し監視制御信号を出力する繰り返し処理部を有し、繰り返し監視制御信号と送信する無線信号とを時分割多重する多重部であり、分離部が、デジタル無線信号から無線信号と繰り返し監視制御信号とを各々抽出し、抽出された繰り返し監視制御信号をビット毎にビットの値の多数決をとって誤り訂正された監視制御信号を分離出力する多数決処理部を有する分離部であることを特徴としているので、伝送誤りが装置動作に大きな影響を及ぼす監視制御信号に対して、非常に簡単な構成及び制御で誤り訂正ができる機能を追加できる。
【００２７】
また、本発明は、デジタル光伝送を介してデジタル無線通信を行う送信側装置及び受信側装置から構成され、送信側装置及び受信側装置では、複数系統で無線信号を処理する光デジタル伝送装置であって、送信側装置が、受信側装置の監視又は制御を行うための監視制御信号を各系統に分配して出力する分配処理部と、系統毎に、分配された監視制御信号を特定の奇数回繰り返して繰り返し監視制御信号を生成し、繰り返し監視制御信号と送信する無線信号とを時分割多重してデジタル無線信号を出力する多重部と、各系統のデジタル無線信号を電気信号から光信号に変換してデジタル光信号を出力する電気／光変換部と、各系統のデジタル光信号を光多重して出力する光多重部とを有し、受信側装置が、デジタル光伝送されたデジタル光信号を各系統に分離する光分離部と、各系統のデジタル光信号を光信号から電気信号に変換してデジタル無線信号を出力すると共に、各系統の回線状態を監視して回線品質の情報を出力する光／電気変換部と、デジタル無線信号から無線信号と繰り返し監視制御信号とを各々抽出して分離し、抽出された無線信号を出力すると共に、抽出された繰り返し監視制御信号をビット毎にビットの値の多数決をとって誤り訂正された監視制御信号を出力し、多数決の際に全員一致であったか否かを示す多数決実行情報を出力する分離部と、光／電気変換部からの各系統の回線品質の情報と、分離部からの各系統の誤り訂正された監視制御信号及び多数決実行情報とを入力し、各系統の誤り訂正された監視制御信号の中から、回線品質の情報、又は多数決実行情報、又はその両方に基づいて信頼性の高い誤り訂正された監視制御信号を選択して出力する選択処理部とを有することを特徴としているので、複数系統で伝送された監視制御信号の中から、信頼性の高い監視制御信号を選択することで、監視制御信号の信頼性を向上できる。
【発明の効果】
【００２８】
本発明によれば、送信側装置において、多重部が監視又は制御のための監視制御信号と送信する無線信号とを時分割多重してデジタル無線信号を出力し、電気／光変換部がデジタル無線信号を電気信号から光信号に変換してデジタル光信号を出力し、受信側装置において、光／電気変換部がデジタル光伝送されたデジタル光信号を光信号から電気信号に変換してデジタル無線信号を出力し、分離部がデジタル無線信号から無線信号と監視制御信号とを各々抽出して分離出力する光デジタル伝送装置としているので、無線信号と監視制御信号の光伝送用の設備（電気／光変換部及び光／電気変換部）を共用とし、無線信号と監視制御信号との多重化を電気信号段階の簡単で安価に実現できる多重部及び分離部で構成することにより、全体構成を縮小でき、更に無線信号と監視制御信号への波長割り当ても共用として光伝送資源を有効活用して、大幅なコスト削減を図ることができる効果がある。
【００２９】
本発明によれば、送信装置側の多重部において、繰り返し処理部が監視制御信号を特定の奇数回繰り返して繰り返し監視制御信号を出力し、多重部が繰り返し監視制御信号と送信する無線信号とを時分割多重し、受信装置側の分離部において、デジタル無線信号から無線信号と繰り返し監視制御信号とを各々抽出し、多数決処理部が抽出された繰り返し監視制御信号をビット毎にビットの値の多数決をとって誤り訂正された監視制御信号を分離出力する上記光デジタル伝送装置としているので、伝送誤りが装置動作に大きな影響を及ぼす監視制御信号に対して、非常に簡単な構成及び制御で誤り訂正ができる機能を追加して、監視制御信号の信頼性を向上させることで、制御対象装置が誤動作することを回避でき、装置設備の信頼性を向上できる効果がある。
【００３０】
本発明によれば、送信側装置において、分配処理部が監視又は制御を行うための監視制御信号を各系統に分配し、多重部が、系統毎に分配された監視制御信号を特定の奇数回繰り返して繰り返し監視制御信号を生成し、繰り返し監視制御信号と送信する無線信号とを時分割多重してデジタル無線信号を出力し、電気／光変換部で光信号に変換し、光多重部で各系統のデジタル光信号を光多重して送信し、受信側装置において、光分離部で受信デジタル光信号を各系統に分離し、光／電気変換部で光信号から電気信号に変換してデジタル無線信号を出力すると共に、各系統の回線状態を監視して回線品質の情報を出力し、分離部が、デジタル無線信号から無線信号と繰り返し監視制御信号とを各々抽出して分離し、抽出された無線信号を出力すると共に、抽出された繰り返し監視制御信号をビット毎にビットの値の多数決をとって誤り訂正された監視制御信号を出力し、多数決の際に全員一致であったか否かを示す多数決実行情報を出力し、選択処理部が、各系統の誤り訂正された監視制御信号の中から、回線品質の情報、又は多数決実行情報、又はその両方に基づいて信頼性の高い誤り訂正された監視制御信号を選択して出力する光デジタル伝送装置としているので、複数系統で伝送された監視制御信号の中から、信頼性の高い監視制御信号を選択することで、監視制御信号の信頼性を向上し、装置設備の信頼性を向上できる効果がある。
【発明を実施するための最良の形態】
【００３１】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００３２】
本発明の実施の形態の説明においては、無線送受信を行うデータ信号を無線信号と呼び、光伝送用の制御信号を監視制御信号と呼んで説明する。
まず、オーバスペックである点を解決する第１の実施形態に係る光デジタル伝送装置ついて説明する。
【００３３】
上位概念的に説明すれば、本発明の第１の実施形態に係る光デジタル伝送装置は、無線信号と監視制御信号とを電気信号段階で多重し、多重された信号を光信号に変換して光伝送し、受信した光信号を電気信号に変換し、無線信号と監視制御信号とに分離するものなので、無線信号と監視制御信号の光伝送用の設備を共用とし、無線信号と監視制御信号との多重化を電気信号段階の簡単で安価に実現できる構成とすることにより、全体構成を縮小でき、更に更に無線信号と監視制御信号への波長割り当ても共用として光伝送資源を有効活用できるものである。
【００３４】
機能実現手段で説明すれば、本発明の第１の実施形態に係る光デジタル伝送装置は、送信側装置が、受信側装置の監視又は制御を行うための監視制御信号と、送信する無線信号とを時分割多重してデジタル無線信号を出力する多重部と、デジタル無線信号を電気信号から光信号に変換してデジタル光信号を出力する電気／光変換部とを有し、受信側装置が、デジタル光伝送されたデジタル光信号を光信号から電気信号に変換してデジタル無線信号を出力する光／電気変換部と、デジタル無線信号から無線信号と監視制御信号とを各々抽出して分離出力する分離部とを有するするものなので、無線信号と監視制御信号の光伝送用の設備（電気／光変換部及び光／電気変換部）を共用とし、無線信号と監視制御信号との多重化を電気信号段階の簡単で安価に実現できる多重部及び分離部で構成することにより、全体構成を縮小でき、更に更に無線信号と監視制御信号への波長割り当ても共用として光伝送資源を有効活用できるものである。
【００３５】
本発明の実施形態と請求項との対応付けを説明すると、光伝送路を挟んで上り下り双方向に光伝送を行う上での送信側装置又は受信側装置は全く同様の構成を有しており、送信側装置の多重部と受信側装置の分離部の機能を備えるものが、多重分離部２又は多重分離部６であり、送信側装置の電気／光変換部と受信側装置の光／電気変換部とを備えるものが、デジタル光Ｉ／Ｆ部３又はデジタル光Ｉ／Ｆ部５である。
【００３６】
本発明の第１の実施形態に係る光デジタル伝送装置（第１の装置）について、図１を用いて説明する。図１は、本発明の第１の実施形態に係る光デジタル伝送装置の構成ブロック図である。尚、図１５と同様の構成をとる部分については同一の符号を付して説明する。
本実施の形態の第１の装置は、図１に示すように、図１５と同様に、大きく光伝送路４と、光伝送路４を挟んで左側の構成（上位装置とする）と、右側の構成（下位装置とする）とに分けられる。
尚、図１においては、光送受信を行う部分の構成を示していないが、光伝送路４に光送受信を行う構成が含まれるものとして、以下説明を行う。
また、図１においても、左から右方向を下り回線、右から左方向を上り回線として説明するが、この方向性は本発明を決定付けるものではない。
【００３７】
そして、第１の装置は、従来と同一の構成として、上位装置には、基地局１と、デジタル光Ｉ／Ｆ部３とを有し、下位装置にはデジタル光Ｉ／Ｆ部５と、無線部７と、監視制御部８と、増幅器９と、アンテナ１０とを有しており、第１の装置の特徴部分として上位装置の多重分離部２と、下位装置の多重分離部６とが各々新たに設けられている。
【００３８】
第１の装置の各部について説明する。
基地局１は、無線通信の呼制御等を行う基地局相当の装置であり、本発明において基地局であることを限定するものではないが、ここでは基地局として説明する。
基地局１は、移動通信における基本的な基地局機能を実現して無線信号の送受信を行うものである。
また、光伝送を挟んで基地局設備を構成する場合の基地局１の特徴として、下位装置における無線送受信の制御を主導的に行うと共に、上位、下位両装置の状態を監視する監視制御信号の送受信及び処理を行う。
【００３９】
ここで、監視制御信号とは、大きく分けて２つの信号であり、上位装置が下位装置を制御するための制御信号と、上位、下位の両装置がお互いに監視するための監視信号とを意味する。
【００４０】
制御信号は、上位装置（基地局１側）が下位装置（無線部７側）側を主導的に制御するための各種制御信号である。具体的には、上位装置から下位装置に送信される装置のリセット要求や、アンテナ１０から送出する無線信号の送信開始要求，送信停止要求や、アンテナ１０から送出する無線信号の送信レベル報告要求等と、下位装置から上位装置に送信される送信レベル報告等がある。
【００４１】
また、監視信号は、対向の装置が異常な動作をしていないか監視し、その結果（正常又は異常）を報告する信号で、具体的な報告内容例としては、現在装置が状態遷移のどの状態にいるのか（正常動作、故障中、リセット中等）や、故障している個所が有るか否か、故障個所はどこか等である。
【００４２】
多重分離部２は、下り回線に関する役割として、基地局１から出力される（下り）無線信号（ベースバンド信号を含む）と（下り）監視制御信号とを入力して時分割多重し、多重された多重信号（（下り）デジタル無線信号と呼ぶ）を出力すると共に、上り回線に関する役割として、後述するデジタル光Ｉ／Ｆ部３からの（上り）デジタル無線信号を入力して、（上り）無線信号と（上り）監視制御信号とを分離して出力するものである。
多重分離部２の内部構成などの詳細は、後述する。
【００４３】
デジタル光Ｉ／Ｆ部３は、下り回線に関する役割として入力される（下り）電気信号を光信号に変換して出力するＥ／Ｏ変換を行い、上り回線に関する役割として入力される（上り）光信号を電気信号に変換して出力するＯ／Ｅ変換とを行う一般的なインタフェースである。
デジタル光Ｉ／Ｆ部３の内部構成などの詳細は、後述する。
【００４４】
光伝送路４は、光信号を伝送する光ファイバ等の伝送路及び当該伝送路への光信号の送受信を行うものである。
尚、本発明において光伝送路４の伝送路は、１本の光ファイバで送受信を実現するものであっても良いし、図には１本しか示していないが、送受信それぞれに１本の光ファイバを用いるものであっても良い。
どちらのタイプを用いるかによって光信号の送受信を行う部分の構成が異なってくるが、どちらのタイプを用いたとしても、当該部分の構成が本発明を限定するものではなく、一般的に用いられている構成で実現するものである。
【００４５】
デジタル光Ｉ／Ｆ部５は、上位装置におけるデジタル光Ｉ／Ｆ部３の対向構成で、下り回線に関する役割として入力される（下り）光信号を電気信号に変換して出力するＯ／Ｅ変換と、上り回線に関する役割として入力される（上り）電気信号を光信号に変換して出力するＥ／Ｏ変換とを行う一般的なインタフェースである。
【００４６】
デジタル光Ｉ／Ｆ部５の内部構成は、図２に示したデジタル光Ｉ／Ｆ部３の構成と同様であるが、図１の配置に対応した場合に、図２に示した構成図において左右が逆になり、下り回線（図において左→右）が受信方向となり、上り回線（図において左←右）が送信方向となる。
デジタル光Ｉ／Ｆ部５の内部構成などの詳細は、後述する。
【００４７】
多重分離部６は、上位装置における多重分離部２の対向構成で、下り回線に関する役割としてデジタル光Ｉ／Ｆ部５からの（下り）デジタル無線信号を入力して、（下り）無線信号と（下り）監視制御信号とに分離して出力すると共に、上り回線に関する役割として入力される（上り）無線信号（ベースバンド信号を含む）と（上り）監視制御信号とを時分割多重し、多重された多重信号（（上り）デジタル無線信号と呼ぶ）を出力するものである。
多重分離部６の場合は、無線信号を無線部７との間で入出力し、監視制御信号を監視制御部８との間で入出力する。
多重分離部６の内部構成などの詳細は、後述する。
【００４８】
無線部７は、送信信号を無線変調して出力すると共に、アンテナ１０で受信した信号を検波して無線信号として出力する一般的な無線部である。
増幅器９は、無線送信のために無線信号の増幅を行う一般的な増幅器である。
アンテナ１０は、無線送受信を行う一般的なアンテナである。
【００４９】
監視制御部８は、基地局１主導で行われる光伝送を挟んだ基地局側装置と無線部側装置間の監視制御に関連する監視制御信号を受けて、監視又は制御のための処理を行い、また、基地局１からの監視報告要求に対して報告内容を監視制御信号として出力するものである。
【００５０】
ここで、監視制御部８の具体的機能として、基地局１から送信される下位装置全体に関する制御信号（例えば、リセット要求）に従って、装置全体（例えば、デジタル光Ｉ／Ｆ部５、多重分離部６、無線部７、増幅器９、監視制御部８等）をリセットする。
また、基地局１から送信されるの無線送受信に関する制御信号（例えば、送信開始要求，送信停止要求）に従って、無線部７及び監視制御部８の無線送信に関する動作の開始・停止を指示するし、その結果、アンテナ１０からの無線送受信が開始又は停止するようになっている。
また、基地局１との間の監視信号のやり取りにより、お互いの状態監視を行うものである。
【００５１】
尚、基地局１からの制御信号に従って、下位装置何の各部を制御するのとは別に、光伝送路４による光伝送が停止しているか否かを監視し、停止している場合には、基地局１からの制御信号が監視制御部８に正常に届かないわけであるから、送信停止要求を受け取ったときと同様に、アンテナ１０からの無線信号送信を停止させるようになっている。
【００５２】
次に、第１の光デジタル伝送装置の多重分離部２と多重分離部６の内部構成例について説明する。尚、多重分離部２と多重分離部６とは上り又は下り回線に対する制御が逆になるだけの違いなので、代表して多重分離部２の例で、図２を用いて説明する。図２は、第１の光デジタル伝送装置の多重分離部２の内部構成例を示すブロック図である。尚、図２において、送信＊＊信号は、光伝送路に出力する信号(方向)を示し、受信＊＊信号は、光伝送路から入力する信号(方向)を示す。
第１の光デジタル伝送装置の多重分離部２の内部は、マルチプレクス部（図では、ＭＵＸ）２１と、監視制御信号抽出部２５と、無線信号抽出部２６とから構成されている。
【００５３】
マルチプレクス部２１は、入力される送信無線信号（下り回線の無線信号）と送信監視制御信号（下り回線の監視制御信号）とを時分割多重して多重された信号（送信デジタル無線信号と呼ぶ）を出力するものである。
【００５４】
ここで、具体的な時分割多重方法について説明する。
マルチプレクス部２１で行われる時分割多重は、予め定められた信号フォーマットに入力信号を埋め込むフォーマット変換する事で行われる。
送信デジタル無線信号のフォーマット変換の一例について、図４を使って説明する。図４は、本発明の光デジタル伝送装置の多重分離部における多重化のフォーマット変換の一例を示すフォーマット図である。尚、図４では、デジタル移動通信の一例で、ＣＤＭＡ２０００を例にしている。
【００５５】
一般にＣＤＭＡの伝送では、20msecで1周期（フレーム）としており、各フレームの先頭には、フレーム認識信号（Ｋ２８．７）コードが挿入される。
そして、一般にＣＤＭＡの伝送では1ビット相当（データ単位）を"チップ"と呼ぶため、図にはチップと記載しているが、１フレーム内は、２チップ単位で繰り返され、２チップ区間を１区切りとして区切り部分には、チップアライメント信号（Ｋ２８．５）が挿入される。
【００５６】
２チップ区間内は、フレーム認識信号（Ｋ２８．７）又はチップアライメント信号（Ｋ２８．５）に続いて、Ｄ１，Ｄ２と２つの制御(3byte)で構成される。Ｄ１，Ｄ２とは、1チップ目、２チップ目の送信無線信号のデータを意味しており、制御とは、監視制御信号を意味している。
【００５７】
各チップの送信無線信号のデータ（Ｄ１，Ｄ２、…）は、本来のデータ部分と検査信号とから構成される。
図４に示したフォーマットの例では、３セクタ（移動通信では、基地局が統括しているエリアを分割する際、セクタと呼ぶ。今回は３分割で３セクタ）で、かつ、セクタあたりに１６キャリア信号を供する場合を示しており、データ部分の詳細は、64byteを１セクタとし、１セクタ内に１６キャリアのＩ，Ｑ各成分が挿入されることになる。
【００５８】
検査信号とは、当該フォーマットのデータ受信時に、各送信無線信号部分（Ｄ１，Ｄ２，…）のエラーチェックなどに用いる目的で挿入される検査用信号である。
但し、第１の光デジタル伝送装置においては、当該検査信号を用いた品質検査などを行わないため、ここでは、検査信号挿入用に予約された区間としておく。
【００５９】
すなわち、多重分離部２のマルチプレクス部２１では、入力される送信無線信号と送信監視制御信号、及びフレーム認識信号（Ｋ２８．７）又はチップアライメント信号（Ｋ２８．５）を用いて、図４に示すフォーマットの送信デジタル無線信号を生成することによって時分割多重を行う。
尚、図４において、送信する制御信号が無い場合には、「制御」部分にはnullコード等が挿入される。
【００６０】
監視制御信号抽出部２５は、入力される多重化信号（受信デジタル無線信号と呼ぶ）から監視制御信号を抽出し、抽出した監視制御信号（受信監視制御信号と呼ぶ）を出力するものである。前述したように受信デジタル無線信号は、送信側のマルチプレクス部２１で多重され光伝送路４を介して伝送される図４に示すフォーマットである。
無線信号抽出部２６は、監視制御信号抽出部２５と同様に入力される受信デジタル無線信号から無線信号を抽出し、抽出した無線信号（受信無線信号と呼ぶ）を出力するものである。
【００６１】
下位装置の多重分離部６は、多重分離部２と同様の構成であるが、上り又は下り回線に対する制御が逆になるため、図の上部を下り回線に関する制御部分、図の下部を上り回線に関する制御部分とすると、マルチプレクス部２１と、監視制御信号抽出部２５及び無線信号抽出部２６の上下配置が逆になる。
また図１の配置に対応した場合に、多重分離部６は、図２に示した構成図において左右が逆になり、下り回線（図において左→右）が光伝送路４に対して受信方向となり、上り回線（図において左←右）が送信方向となる。
【００６２】
すなわち、下り回線に対する制御部分である監視制御信号抽出部２５，無線信号抽出部２６は、左方向から入力される受信デジタル無線信号を、（下り）受信無線信号及び（下り）受信監視制御信号に分離し、上り回線に対する制御部分であるマルチプレクス部２１は、右方向から入力される（上り）無線信号及び（上り）監視制御信号を送信デジタル無線信号として多重化することになる。
【００６３】
多重分離部２（又は多重分離部６）の動作について、図２を使って説明する。
多重分離部２（又は多重分離部６）では、光伝送路４に対する送信方向として、送信無線信号と送信監視制御信号とが入力され、マルチプレクス部２１で、入力された送信無線信号と送信監視制御信号、及びフレーム認識信号（Ｋ２８．７）又はチップアライメント信号（Ｋ２８．５）を用いて時分割多重を行って、図４に示すようなフォーマットの送信デジタル無線信号を出力する。
【００６４】
また、光伝送路４に対する受信方向として、受信デジタル無線信号が入力され、受信デジタル信号から監視制御信号抽出部２５が監視制御信号を抽出して受信監視制御信号を出力すると共に、無線信号抽出部２６が無線信号を抽出して受信無線信号を出力するようになっている。
【００６５】
次に、デジタル光Ｉ／Ｆ部３とデジタル光Ｉ／Ｆ部５の内部構成について説明する。尚、デジタル光Ｉ／Ｆ部３とデジタル光Ｉ／Ｆ部５とは上り又は下り回線に対する制御が逆になるだけの違いなので、代表してデジタル光Ｉ／Ｆ部３の例で、図３を使って説明する。図３は、本発明の第１の光デジタル伝送装置のデジタル光Ｉ／Ｆ部３の内部構成を示すブロック図である。また、図３において、送信＊＊信号は、光伝送路に出力する信号(方向)を示し、受信＊＊信号は、光伝送路から入力する信号(方向)を示す。
【００６６】
第１の光デジタル伝送装置のデジタル光Ｉ／Ｆ部３の内部構成は、入力される送信デジタル無線信号（無線信号と監視制御信号とが電気信号段階で多重された信号）を電気／光変換して送信デジタル光信号を出力する電気−光変換部（図ではＥ／Ｏ）３１と、受信デジタル光信号（光伝送路４で受信した信号）を光／電気変換して受信デジタル無線信号を出力する光−電気変換部（図ではＯ／Ｅ）３２から構成されている。
【００６７】
下位装置のデジタル光Ｉ／Ｆ部５は、デジタル光Ｉ／Ｆ部３と同様の構成であるが、上り又は下り回線に対する制御が逆になるため、図の上部を下り回線に関する制御部分、図の下部を上り回線に関する制御部分とすると、電気−光変換部３１と光−電気変換部３２上下配置が逆になる。
また図１の配置に対応した場合に、デジタル光Ｉ／Ｆ部５は、図３に示した構成図において左右が逆になり、下り回線（図において左→右）が光伝送路４に対して受信方向となり、上り回線（図において左←右）が送信方向となる。
【００６８】
すなわち、下り回線に対する制御部分である光−電気変換部３２は、左方向から入力される（下り）方向の受信デジタル光信号に関してＯ／Ｅ変換して（下り）デジタル無線信号を出力し、上り回線に対する制御部分である出力電気−光変換部３１は、右方向から入力される（上り）方向の送信デジタル無線信号に関してＥ／Ｏ変換して光伝送路への送信デジタル光信号を出力するものである。
【００６９】
次に、本発明の第１の光デジタル伝送装置の動作について図１を用いて説明する。
本発明の第１の光デジタル伝送装置の下り回線の動作としては、基地局１から出力された（下り）無線信号及び（下り）監視制御信号が、多重分離部２で時分割多重されて送信デジタル無線信号が出力され、デジタル光Ｉ／Ｆ部３でＥ／Ｏ変換されて光信号となり、光伝送路４に出力されて送信される。
【００７０】
そして、光伝送路４で光伝送され受信された送信デジタル無線信号の光信号が、デジタル光Ｉ／Ｆ部５でＯ／Ｅ変換され、多重分離部６で（下り）無線信号及び（下り）監視制御信号に分離されて各々出力される。
そして、無線信号は、無線部７で変調され、増幅器９で増幅されてアンテナ１０から発信され、監視制御信号は、監視制御部８に入力されて、光伝送路４を挟む両装置間の監視・制御に用いられる。
【００７１】
一方、本発明の第１の光デジタル伝送装置の上り回線の動作としては、アンテナ１０で受信された（上り）無線信号が、増幅器９で増幅され、無線部７で復調されて、多重分離部６に入力され、一方、監視制御部８から出力される（上り）監視制御信号が、多重分離部６に入力される。
そして、多重分離部６で（上り）無線信号と（上り）監視制御信号とが時分割多重されてデジタル無線信号が出力され、デジタル光Ｉ／Ｆ部５でＥ／Ｏ変換されて光伝送路４に出力される。
【００７２】
そして、光伝送路４で光伝送された（上り）デジタル無線信号の光信号が、デジタル光Ｉ／Ｆ部３でＯ／Ｅ変換され、多重分離部２で（上り）無線信号及び（上り）監視制御信号に分離されて各々が基地局１に入力されて処理されるようになっている。
【００７３】
本発明の第１の実施形態に係る光デジタル伝送装置によれば、下り回線及び上り回線共に、無線信号と監視制御信号とを多重分離部２（又は多重分離部６）で電気信号段階で時分割多重してから、デジタル光Ｉ／Ｆ部３（又はデジタル光Ｉ／Ｆ部５）でＥ／Ｏ変換して光伝送路４を介して伝送するので、従来回路構成において監視制御信号で占有していたデジタル光I/F部３-2，５-2を削減することができ、構成を縮小してコスト軽減を図ることができる効果がある。
【００７４】
また、多重分離部２，６は追加されるものの、光多重分離部１１，１２を削減することができ、光多重分離を実現する構成に比べて電気信号の多重分離を実現する構成の方が簡易で低コストであり、また小型化が可能であるため、全体構成を縮小して大幅にコスト軽減を図ることができる効果がある。
【００７５】
また、無線信号及び監視制御信号を電気信号段階で時分割多重してから１つの電気信号として光信号に変換し、よって１つの波長を用いて光伝送できることから、光伝送資源を有効活用できる効果がある。
【００７６】
また、本発明の第１の実施形態に係る光デジタル伝送装置によれば、送信側で監視制御信号を電気信号段階で特定のフォーマットの特定位置に埋め込んでフォーマット変換することで時分割多重し、光信号に変換して伝送し、受信側で電気信号に変換して、当該フォーマットの中の既知の特定位置から監視制御信号を抽出するので、監視制御信号を他の信号と判別して取り出す必要がなく、簡単な制御で確実に監視制御信号を取り出すことができる効果がある。
【００７７】
次に、光伝送における信頼性の向上を図る第２の実施形態に係る光デジタル伝送装置ついて説明する。
上位概念的に説明すれば、本発明の第２の実施形態に係る光デジタル伝送装置は、監視制御信号を特定の奇数回繰り返した繰り返し制御信号を無線信号と共に多重し、多重された信号を光信号に変換して光伝送し、受信した光信号を電気信号に変換し、無線信号と監視制御信号とに分離した後に、繰り返し監視信号を多数決処理して監視制御信号の誤り訂正を行うものなので、伝送誤りが装置動作に大きな影響を及ぼす監視制御信号に対して、非常に簡単な構成及び制御で誤り訂正ができる機能を追加できるものである。
【００７８】
機能実現手段で説明すれば、本発明の第２の実施形態に係る光デジタル伝送装置は、無線信号と監視制御信号とを多重する多重部が、送信する監視制御信号を特定の奇数回繰り返して繰り返し制御信号を出力する繰り返し処理部を有し、分離部が、デジタル無線信号から無線信号と繰り返し監視制御信号とを各々抽出し、抽出された繰り返し監視制御信号をビット毎にビットの値の多数決をとって誤り訂正された監視制御信号を分離出力する多数決処理部を有するものなので、伝送誤りが装置動作に大きな影響を及ぼす監視制御信号に対して、非常に簡単な構成及び制御で誤り訂正ができる機能を追加できるものである。
【００７９】
本発明の第２の実施形態に係る光デジタル伝送装置（第２の装置）の概略構成は、図１に示した第１の装置と同様である。但し、多重分離部２′及び多重分離部６′の内容が第１の装置のそれとは異なっている。
【００８０】
第１の装置の各部について説明するが、第１の装置と同様の部分は説明を省略し、第２の装置の特徴部分である多重分離部２′及び多重分離部６′について説明する。
第２の装置の多重分離部２′は、下り回線に関する役割として、基地局１から出力される（下り）無線信号（ベースバンド信号を含む）と（下り）監視制御信号とを入力し、監視制御信号に対して受信側における誤り訂正のための準備処理として監視制御信号を特定の奇数回繰り返して出力する繰り返し処理を施し、無線信号と繰り返し処理された監視制御信号（繰り返し監視制御信号と呼ぶ）を時分割多重し、多重された多重信号（（下り）デジタル無線信号と呼ぶ）を出力するものである。
【００８１】
一方、上り回線に関する役割として、デジタル光Ｉ／Ｆ部３からの（上り）デジタル無線信号を入力して、（上り）無線信号と繰り返し監視制御信号とに分離し、繰り返し監視制御信号に対して誤り訂正のための多数決処理を施し、誤り訂正された（上り）監視制御信号を出力するものである。
尚、多重分離部２′の内部構成と、繰り返し処理及び多数決処理の詳細は、後述する。
【００８２】
多重分離部６′は、上位装置における多重分離部２′の対向構成で、下り回線に関する役割として、デジタル光Ｉ／Ｆ部５からの（下り）デジタル無線信号を入力して、（下り）無線信号と繰り返し監視制御信号とに分離し、繰り返し監視制御信号に対して誤り訂正のための多数決処理を施し、誤り訂正された（下り）監視制御信号を出力するものである。
【００８３】
一方、上り回線に関する役割として、入力される（上り）無線信号（ベースバンド信号を含む）と（上り）監視制御信号とを入力し、監視制御信号に対して受信側における誤り訂正のための準備処理として監視制御信号を奇数回繰り返して出力する繰り返し処理を施し、無線信号と繰り返し処理された監視制御信号（繰り返し監視制御信号と呼ぶ）を時分割多重し、多重された多重信号（（上り）デジタル無線信号と呼ぶ）を出力するするものである。
多重分離部６′の場合は、無線信号を無線部７との間で入出力し、監視制御信号を監視制御部８との間で入出力する。
尚、多重分離部６′の内部構成と、繰り返し処理及び多数決処理の詳細は、後述する。
【００８４】
即ち、第２の光デジタル伝送装置では、光伝送路４における下り回線又は上り回線に対して、送信側となる多重分離部において、監視制御信号に繰り返し処理を施し、受信側となる多重分離部において、多数決処理により繰り返し処理が施された監視制御信号の誤り訂正を行うことになる。
【００８５】
次に、第２の光デジタル伝送装置の多重分離部２′と多重分離部６′の内部構成例について説明する。尚、多重分離部２′と多重分離部６′とは上り又は下り回線に対する制御が逆になるだけの違いなので、代表して多重分離部２′の例で図５を用いて説明する。図５は、第２の光デジタル伝送装置の多重分離部２′の内部構成例を示すブロック図である。尚、図３に示した第１の光デジタル伝送装置の多重分離部２と同様の構成をとる部分については同一の符号を付して説明する。また、図５において、送信＊＊信号は、光伝送路に出力する信号(方向)を示し、受信＊＊信号は、光伝送路から入力する信号(方向)を示す。
【００８６】
第２の光デジタル伝送装置の多重分離部２′の内部は、第１の装置の多重分離部２と同様の構成であるマルチプレクス部（図では、ＭＵＸ）２１と、監視制御信号抽出部２５と、無線信号抽出部２６とに加えて、第２の装置の多重分離部２′の特徴部分である繰り返し処理部２２と多数決処理部２７とが新たに設けられている。
【００８７】
多重分離部２′内部の各部について説明するが、マルチプレクス部２１と、監視制御信号抽出部２５と、無線信号抽出部２６とについては、第１の装置の多重分離部２と全く同様であるので説明を省略する。
繰り返し処理部２２は、入力される送信監視制御信号に対して、受信側における誤り訂正のための準備処理として、監視制御信号をバイト単位で予め定めた特定の奇数回繰り返して出力する繰り返し処理を施し、データが繰り返された監視制御信号（繰り返し監視制御信号とよぶ）を出力するものである。
【００８８】
ここで、繰り返し処理の詳細について、図６を使って具体例で説明する。図６は、本発明の第２の光デジタル伝送装置の多重分離部２′（多重分離部６′）における繰り返し処理の具体例を示す説明図である。尚、図６では、３回繰り返す例を示している。
本発明の第２の光デジタル伝送装置の多重分離部２′（多重分離部６′）における繰り返し処理は、入力される監視制御信号をバイト単位で奇数回繰り返して出力する処理である。
【００８９】
図６に示した例によれば、入力される送信監視制御信号が、Ｄ０（bit0〜bit7）、Ｄ２（bit0〜bit7）、Ｄ３（bit0〜bit7）、・・・の場合、Ｄ０（bit0〜bit7）を３回繰り返し出力してから、Ｄ２（bit0〜bit7）を３回繰り返し出力し、以降同様にバイト単位で３回ずつ繰り返し出力するものである。
【００９０】
上記説明した繰り返し処理後のデータ（繰り返し監視制御信号）が、図４に示した多重化フォーマットにおける制御（データ）３byte×２のエリアに埋め込まれることになる。
尚、繰り返し処理部２２における繰り返し回数を、例えば５回としたような場合には、複数の２チップ区間における制御（データ）３byte×２のエリアにばらして組み込むようにする。但し、光伝送路４における光伝送レートを高速にして、制御（データ）に割当られる領域を増やすことが可能となれば、図４のフォーマット例を変更して、１つの制御（データ）エリアを５byteにすることもできる。
【００９１】
それに対して、多数決処理部２７は、対向装置の多重分離部の繰り返し処理部２２が行った繰り返し処理による繰り返し監視制御信号を元に、誤り訂正のために多数決処理を施して、誤り訂正された監視制御信号を出力するものである。
【００９２】
ここで、多数決処理の詳細について、図７を使って具体例で説明する。図７は、本発明の第２の光デジタル伝送装置の多重分離部２′（多重分離部６′）における多数決処理の具体例を示す説明図である。尚、図７では、対向装置の多重分離部の繰り返し処理部２２で図６のように３回繰り返された場合の繰り返し処理前と繰り返し処理後のデータストリーム例を示している。
本発明の第２の光デジタル伝送装置の多重分離部２′（多重分離部６′）における多数決処理は、入力される繰り返し監視制御信号を繰り返されたバイトのビット毎に、ビットの値（０又は１）の多数決を取り、多い方の値を当該ビットの値として出力する処理である。
【００９３】
すなわち、図７（ａ）に示された繰り返し監視制御信号において、ビット毎にその値（０又は１）を見ると、ビット５とビット３にビット誤り（網掛け部分）が発生してる考えられ、その他のビットは、全てのビットの値が同一であるからビット誤りは発生していないと考えられる。
よって、全てが同一でないビット５とビット３に関して、ビットの値（０又は１）の多数決を取り、多い方の値を当該ビットの値として採用し、図７（ｂ）のような誤り訂正された監視制御信号が出力される。
尚、本発明では、全てのビットの値が同一であった場合（全員一致）も含めて多数決処理と呼び、特に全てが同一（全員一致）でなく多数の方を採用した場合を「多数決実行」と呼ぶことにする。
【００９４】
多数決処理部２７における多数決処理の具体的な処理手順の一例としては、奇数回繰り返された監視制御信号を記憶手段などに記憶し、対応するビット毎に値が全て同一であるか判断し、全て同一の場合には、「多数決実行」不要として、当該ビットの値を誤り訂正された監視制御信号のビットの値として出力する。
【００９５】
一方、全て同一の場合には、「多数決実行」必要として、それぞれのビットの値（０又は１）の個数をカウントし、数の多かった方の値を当該ビットの値を誤り訂正された監視制御信号のビットの値として出力する。
【００９６】
本発明の第２の装置の多重分離部２′（又は多重分離部６′）の動作について、図５を使って説明する。
多重分離部２′（又は多重分離部６′）では、光伝送路４に対する送信方向として、送信無線信号と送信監視制御信号とが入力され、繰り返し処理部２２で送信監視制御信号に対して繰り返し処理が施されて送信繰り返し監視制御信号が出力され、マルチプレクス部２１で、入力された送信無線信号と、繰り返し処理部２２からの繰り返し監視制御信号、及びフレーム認識信号（Ｋ２８．７）又はチップアライメント信号（Ｋ２８．５）を用いて時分割多重を行って、図４に示すようなフォーマットの送信デジタル無線信号を出力する。
【００９７】
また、光伝送路４に対する受信方向として、受信デジタル無線信号が入力され、受信デジタル信号から無線信号抽出部２６が無線信号を抽出して受信無線信号を出力すると共に、監視制御信号抽出部２５が受信繰り返し監視制御信号を抽出し、多数決処理部２７が受信繰り返し監視制御信号に対して多数決処理を施して誤り訂正された受信監視制御信号を出力するようになっている。
【００９８】
本発明の第２の光デジタル伝送装置の動作について、第１の装置の動作との違いを中心に図１、図５を用いて説明する。
本発明の第２の光デジタル伝送装置の例えば下り回線の動作としては、基地局１から（下り）無線信号及び（下り）監視制御信号が多重分離部２′に出力され、多重分離部２′において、（下り）監視制御信号に対して繰り返し処理部２２で繰り返し処理が施されて繰り返し監視制御信号が出力され、マルチプレクス部２１で基地局１からの（下り）無線信号と繰り返し処理部２２からの繰り返し監視制御信号とが時分割多重されて（下り）デジタル無線信号が出力され、デジタル光Ｉ／Ｆ部３でＥ／Ｏ変換されて光信号となり、光伝送路４に出力されて送信される。
【００９９】
そして、光伝送路４で光伝送され受信された（下り）デジタル無線信号の光信号が、デジタル光Ｉ／Ｆ部５でＯ／Ｅ変換されて多重分離部６′に入力され、多重分離部６′において、（下り）無線信号及び（下り）繰り返し監視制御信号に分離され、（下り）無線信号が出力されると共に、（下り）繰り返し監視制御信号に対して多数決処理部２７で多数決処理が施されて誤り訂正された監視制御信号が出力され、以降は、第１の装置と同様の動作である。
【０１００】
また、上り回線の動作は、第１の装置の動作において、下り回線と同様に多重分離部６′で（上り）監視制御信号に対して繰り返し処理が施され、多重分離部２′で（上り）繰り返し監視制御信号に対して多数決処理が施される。
【０１０１】
本発明の第２の実施形態に係る光デジタル伝送装置によれば、下り回線及び上り回線共に、送信側で送信無線信号と送信監視制御信号とを多重分離部２′（又は多重分離部６′）において多重化する前に、送信監視制御信号に対して繰り返し処理が施され、送信繰り返し監視制御信号が送信無線信号と共に多重化されて送信され、受信側で受信デジタル無線信号から受信無線信号と受信監視制御信号とに分離した後に、分離された受信繰り返し監視制御信号に対して多数決処理が施され、誤り訂正された監視制御信号を出力するので、伝送誤りが装置動作に大きな影響を及ぼす監視制御信号に対して、誤り訂正する機能を追加でき、監視制御信号の信頼性が増し、制御対象装置が誤動作することを回避でき、装置の信頼性を向上できる効果がある。
【０１０２】
また、誤り訂正の仕組みとして、送信側で監視制御信号に対して、単純に奇数回データを繰り返す繰り返し処理と、それに対して受信側でビット単位に繰り返されたデータのビットの値の多数決を取る多数決処理の組み合わせで誤り訂正を行うので、非常に簡単な構成及び制御で誤り訂正ができるので、構成などを増大することなく、更に容易に実現できる効果がある。
【０１０３】
次に、第２の実施形態を応用し、基地局設備において冗長構成やダイバーシティ構成を採用した第３の実施形態について説明する。
通常、移動通信の基地局設備などでは、冗長構成やダイバーシティ構成に対応して複数のアンテナを設ける。
そこで、本発明の光デジタル伝送装置においては、各アンテナで送受信する無線信号に対応する形で電気信号伝送のための構成を組にして設け、但し光伝送部分だけは、光多重化して１本（又は１組）の光伝送路で伝送する構成を取ることになる。
第３の実施形態は、複数のアンテナに対応付けて、複数系統の無線信号処理を実現する際の実施形態である。
【０１０４】
上位概念的に説明すれば、本発明の第３の実施形態に係る光デジタル伝送装置は、複数系統で無線信号を処理する際に、送信側で共通の監視制御信号を各系統に分配して無線信号と共に時分割多重して送信し、受信側で各系統から分離された監視制御信号の中から、信頼性の高い監視制御信号を選択して監視制御信号とするものなので、回線状態が悪化したり伝送過程で誤りが発生してもより信頼性の高い監視制御信号を採用できるものである。
【０１０５】
機能実現手段で説明すれば、本発明の第３の実施形態に係る光デジタル伝送装置は、複数系統で無線信号を処理する際に、受信側装置の光／電気変換部に回線状態を示す回線状態信号を出力する機能を設け、分離部に多数決処理の際に「多数決実行」が為されたか否かを示す多数決実行信号を出力する機能を設け、送信側装置では監視制御信号を各電気信号伝送のための構成に分配出力する分配処理部を設け、受信側装置では、各電気信号伝送のための構成から分離された監視制御信号の中から、回線状態信号又は多数決実行信号又はその両方に基づいて信頼性の高い監視制御信号を選択して監視制御信号とする選択処理部を設けたものなので、回線状態が悪化したり伝送過程で誤りが発生してもより信頼性の高い監視制御信号を採用できるものである。
【０１０６】
本発明の実施形態と請求項との対応付けを説明すると、光伝送路を挟んで上り下り双方向に光伝送を行う上での送信側装置又は受信側装置は全く同様の構成を有しており、送信側装置の多重部と受信側装置の分離部の機能を備えるものが、多重分離部２″又は多重分離部６″に相当し、送信側装置の電気／光変換部と受信側装置の光／電気変換部とを備えるものが、デジタル光Ｉ／Ｆ部３′又はデジタル光Ｉ／Ｆ部５′に相当し、光多重部と光分離部とを備えるものが、光多重分離部１１又は光多重分離部１２に相当し、分配処理部と選択処理部とを備えるものが、選択分配処理部１３又は選択分配処理部１４に相当する。
【０１０７】
本発明の第３の実施形態に係る光デジタル伝送装置（第３の装置）について、図８を用いて説明する。図８は、本発明の第３の実施形態に係る光デジタル伝送装置の構成ブロック図である。尚、図１、図１５と同様の構成をとる部分については同一の符号を付して説明する。
【０１０８】
図８に関する注意点として、複数のアンテナ１〜ｎに対応する構成には、構成共通の符号に続いて−１〜−ｎの添え字を付けて示している。ｎは、アンテナ数を示し請求項における系統数に相当する。
また、図８においては、分配選択処理部１３と各多重分離部２″-1〜２″-nとの間で１対多でやり取りされているデータを示す両矢印が、図面を簡単にするために他の多重分離部２″をまたぐ形で記載されているが、分配選択処理部１３と各多重分離部２″-1〜２″-nとが直接接続されているものである。同様に、分配選択処理部１４と各多重分離部６″-1〜６″-nとの間の両矢印についても、直接接続されているものである。
また、各デジタル光Ｉ／Ｆ部３′-1〜デジタル光Ｉ／Ｆ部３′-nから分配選択処理部１３への矢印についても、図面を簡単にするために他のデジタル光Ｉ／Ｆ部３′をまたぐ形で記載されているが、各デジタル光Ｉ／Ｆ部３′-1〜デジタル光Ｉ／Ｆ部３′-nから分配選択処理部１３に直接出力されるものである。同様に、各デジタル光Ｉ／Ｆ部５′-1〜デジタル光Ｉ／Ｆ部５′-nから分配選択処理部１４への矢印についても、直接出力されるものである。
【０１０９】
本実施の形態の第３の装置は、図８に示すように、図１、図１５と同様に、大きく光伝送路４と、光伝送路４を挟んで左側の構成（上位装置とする）と、右側の構成（下位装置とする）とに分けられる。
尚、図８においては、光送受信を行う部分の構成を示していないが、光伝送路４に光送受信を行う構成が含まれるものとして、以下説明を行う。
また、図８においても、左から右方向を下り回線、右から左方向を上り回線として説明するが、この方向性は本発明を決定付けるものではない。
【０１１０】
そして、第３の装置は、基地局設備において冗長構成やダイバーシティ構成を実現するために複数のアンテナを有している点が構成上の大きな特徴である。
そして、第３の装置は、上位装置には、基地局１と、各アンテナに対応する電気信号伝送のための構成の組（以降は、回線と呼ぶ）としてとして、多重分離部２″-1〜２″-nと、デジタル光Ｉ／Ｆ部３′-1〜３′-nとを有し、各組との間で光信号の多重分離を行う光多重分離部１１を備え、更に分配選択処理部１３が新たに設けられている。
【０１１１】
一方、下位装置には、監視制御部８と、複数アンテナに対応する電気信号伝送のための構成（回線）として、デジタル光Ｉ／Ｆ部５′-1〜５′-nと、多重分離部５″-1〜５″-nと、無線部７-1〜７-nと、増幅器９-1〜９-nと、アンテナ１０-1〜１０-nとを有しており、各組との間で光信号の多重分離を行う光多重分離部１２を備え、更に分配選択処理部１４が新たに設けられている。
【０１１２】
第３の装置の各部について説明するが、まず、従来及び第１の装置のものとほぼ同様であるものについて説明する。
基地局１と監視制御部８は、従来及び第１の装置の基地局１及び監視制御部８と同様である。
無線部７-1〜７-nと、増幅器９-1〜９-nと、アンテナ１０-1〜１０-nは、処理される信号が各アンテナ１０で送受信される信号である点を除けば、従来及び第１の装置のものと同様である。
【０１１３】
光多重分離部１１は、下り回線に関する役割として入力される複数の光信号を波長多重して多重された１つの光信号を出力し、上り回線に関する役割として入力される多重された１つの光信号を波長分離し、分離された複数の光信号を出力する一般的な光多重分離部であり、多重分離する光信号の数は異なるが、それ以外は従来の光多重分離部１１と同様である。
【０１１４】
光多重分離部１２は、上位装置における光多重分離部１１の対向構成で、下り回線に関する役割として入力される多重された１つの光信号を波長分離し、分離された複数の光信号を出力し、上り回線に関する役割として入力される複数の光信号を波長多重して多重された１つの光信号を出力する一般的な光多重分離部であり、多重分離する光信号の数は異なるが、それ以外は従来の光多重分離部１２と同様である。
【０１１５】
次に、第３の装置の特徴部分について、説明する。
第３の装置の多重分離部２″及び多重分離部６″は、基本的には第２の装置の多重分離部２′及び多重分離部６′と同様で、光伝送路４に対する送信側として、監視制御信号に対して繰り返し処理を施してから、無線信号と繰り返し監視制御信号を時分割多重し、多重された多重信号（送信デジタル無線信号と呼ぶ）を出力し、受信側として、デジタル無線信号を無線信号と繰り返し監視制御信号とに分離し、繰り返し監視制御信号に対して誤り訂正のための多数決処理を施し、誤り訂正された監視制御信号を出力するものである。
【０１１６】
但し、第３の装置の多重分離部２″及び多重分離部６″の特徴は、受信側として、繰り返し監視制御信号に対して誤り訂正のための多数決処理を施す際に、各監視制御信号に対して、全てが同一（全員一致）であったか否か、すなわち多数の方を採用する「多数決実行」が行われたか否かを示す多数決実行信号を出力する点が、第２の装置の多重分離部２′及び多重分離部６′と異なる点である。
【０１１７】
よって、第３の装置の多重分離部２″（多重分離部６″）の内部構成は、図９に示すように、図５に示した第２の装置の多重分離部２′（多重分離部６′）の構成とほとんど同様であるが、但し、多数決処理部２７が、多数決処理部２７′に置き換えられている。図９は、第３の光デジタル伝送装置の多重分離部２″の内部構成例を示すブロック図である。
【０１１８】
多数決処理部２７′は、対向装置の多重分離部の繰り返し処理部２２が行った繰り返し処理による繰り返し監視制御信号を元に、誤り訂正のために多数決処理を施し、誤り訂正された監視制御信号を出力することに加え、全員一致であったか否か、すなわち「多数決実行」が行われたか否かを示す多数決実行信号を出力するものである。
【０１１９】
次に、第３の装置のデジタル光Ｉ／Ｆ部３′及びデジタル光Ｉ／Ｆ部５′は、基本的には従来又は本発明の第１，第２の装置のデジタル光Ｉ／Ｆ部３及びデジタル光Ｉ／Ｆ部５と同様で、入力される送信電気信号を光信号に変換して送信光信号を出力するＥ／Ｏ変換と、入力される受信光信号を電気信号に変換して受信電気信号を出力するＯ／Ｅ変換とを行う一般的なインタフェースである。
但し、第３の装置のデジタル光Ｉ／Ｆ部３′及びデジタル光Ｉ／Ｆ部５′の特徴は、受信側として、受信した回線の品質を監視し、回線状態を示す回線状態信号を出力する点が、従来又は本発明の第１，第２の装置のデジタル光Ｉ／Ｆ部３及びデジタル光Ｉ／Ｆ部５と異なる点である。
【０１２０】
よって、第３の装置のデジタル光Ｉ／Ｆ部３′（デジタル光Ｉ／Ｆ部５′）の一つの内部構成例としては、図１０に示すように、図３に示した第１の装置のデジタル光Ｉ／Ｆ部３の構成と同様の電気−光変換部３１、光−電気変換部３２に加えて、品質監視部３３を新たに設けている。図１０は、第３の光デジタル伝送装置のデジタル光Ｉ／Ｆ部３′の内部構成例を示すブロック図である。
【０１２１】
品質監視部３３は、光−電気変換部３２からの受信デジタル無線信号を監視し、回線の正常／異常を判断して、判断結果を回線状態信号として出力するものである。
ここで、品質監視部３３における信号の監視方法及び正常／異常の判断方法（回線状態監視・判断方法と呼ぶ）について具体例を説明する。
【０１２２】
回線状態監視・判断方法の第１の方法としては、光−電気変換部３２からの受信デジタル無線信号の有無を監視し、有の場合を正常と判断し、無の場合を異常と判断するものである。尚、受信デジタル無線信号の有無は、例えば、予め電圧閾値を定めておき、受信デジタル無線信号の電圧値が当該閾値以上であれば有、閾値未満であれば無とする。
【０１２３】
回線状態監視・判断方法の第２の方法としては、光−電気変換部３２からの受信デジタル無線信号により、送信側と受信側との通信同期を監視し、同期が取れていれば正常と判断し、同期が取れていなければ異常と判断するものである。
尚、同期が取れているか否かの判断は、Ｋ２８．７、Ｋ２８．５を検出できているか否か等で判断するものである。
【０１２４】
回線状態監視・判断方法の第３の方法としては、光−電気変換部３２からの受信デジタル無線信号により、回線の誤り率を測定し、測定結果に基づいて回線状態の正常／異常を判断するものである。
具体的には、光−電気変換部３２からの受信デジタル無線信号は、図４に示したフォーマットであることから、各チップの送信無線信号（データ信号）毎に予約されている検査信号部分を用いて、送信側の多重分離部において検査信号を挿入するようにして、受信側品質監視部３３において当該検査信号を用いてＢＥＲ(Bit Error Rate)測定を行い、予め定めたＢＥＲ閾値との比較によって、受信デジタル無線信号のＢＥＲが当該閾値以上であれば異常、閾値未満であれば正常とする。
尚、具体的に検査信号としていかなる検査信号を用い、ＢＥＲ測定を如何に行うかについては、本発明において限定するものではないが、例えば送受信間で既知の検査信号を挿入し、伝送された当該検査信号に誤りが無いかを検査するという簡単な方法であっても良い。
【０１２５】
次に、第３の装置で新たに設けられた分配選択処理部１３、１４について説明する。
第３の装置の分配選択処理部１３、１４は、光伝送路４を挟んで送受信の双方で、監視制御信号の伝送の信頼性を高める為の機能を実現する構成であり、共通の監視制御信号を複数回線で同時に伝送し、受信側で複数伝送された監視制御信号の中から信頼性の高い監視制御信号を採用するための働きをする。
【０１２６】
具体的に分配選択処理部１３は、下り回線に関する役割として、基地局１から出力される（下り）監視制御信号を入力して、同一データを複数の多重分離部２″-1〜２″-nに分配する機能を有する。
また、上り回線に関する役割として、複数の多重分離部２″-1〜２″-nからの（上り）監視制御信号及び多数決実行信号と、複数のデジタル光I/F部３′-1〜３′-nからの回線状態信号とを入力し、複数の監視制御信号の中から、回線状態信号又は多数決実行信号又はその両方に基づいて、信頼性の高い監視制御信号を選択して監視制御信号とする機能とを有するものである。
分配選択処理部１３の内部構成例などの詳細は、後述する。
【０１２７】
分配選択処理部１４は、上位装置における分配選択処理部１３の対向構成で、下り回線に関する役割として、複数の多重分離部６″-1〜６″-nからの（下り）監視制御信号及び多数決実行信号と、複数のデジタル光I/F部５′-1〜５′-nからの回線状態信号とを入力し、複数の監視制御信号の中から、回線状態信号又は多数決実行信号又はその両方に基づいて信頼性の高い監視制御信号を選択して監視制御信号とする機能を有する。
また、上り回線に関する役割として、監視制御部８から出力される（上り）監視制御信号を入力して、同一データを複数の多重分離部６″-1〜６″-nに分配する機能とを有するものである。
【０１２８】
ここで、分配選択処理部１３、１４の内部構成に関し、回線状態信号に基づいて信頼性の高い監視制御信号を選択する第１の構成例について説明する。尚、分配選択処理部１３と分配選択処理部１４とは上り又は下り回線に対する制御が逆になるだけの違いなので、代表して分配選択処理部１３の例で、図１１を使って説明する。図１１は、本発明の第３の光デジタル伝送装置の分配選択処理部１３における第１の構成例を示すブロック図である。尚、図１１において、送信＊＊信号は、光伝送路に出力する信号(方向)を示し、受信＊＊信号は、光伝送路から入力する信号(方向)を示す。
第３の装置の分配選択処理部１３における第１の構成例としては、選択制御部４１と、選択部４２と、分配部４３とから構成されている。
【０１２９】
分配選択処理部１３の第１の構成例の各部について説明する。
分配部４３は、基地局１から入力される送信監視制御信号を送信監視制御信号＃１〜＃ｎに分配し、同一の信号を多重分離部２″-1〜２″-nへ出力するものである。
選択制御部４１は、複数のデジタル光Ｉ／Ｆ部３′-1〜３′-nの品質監視部３３が出力する回線状態信号＃１〜＃ｎを入力して、回線状態の良好な回線を１つ選択し、選択結果（選択回線番号）を選択指示信号として出力するものである。
選択部４２は、選択制御部４１が出力する選択指示信号と、複数の多重分離部２″-1〜２″-nから出力される受信監視制御信号＃１〜＃ｎを入力し、選択指示信号に従って受信監視制御信号＃１〜＃ｎの中から選択された回線番号の信号を選択して、１つの受信監視制御信号を出力するものである。
【０１３０】
ここで、選択制御部４１における回線状態が良好な回線の選択方法及び選択部４２における受信監視制御信号を出力方法について、図１２を使って具体例で説明する。図１２は、本発明の分配選択処理部１３における第１の構成例の動作イメージを示す説明図である。尚、図１２では、アンテナ数（回線数）ｎ＝３の例を示している。
選択制御部４１における回線状態が良好な回線の選択方法の一例としては、予め回線に優先順位を付け、より優先順位の高い回線で回線状態信号が正常である回線を選択する方法である。優先順位は、処理順位としても良い。
図１２の例では、回線番号の小さい方を優先順位が高いとして、回線番号＃１の回線状態信号＃１が正常であれば、他の回線状態に関係なく、選択回線番号＃１を選択指示信号として出力し、選択部４２において回線＃１の受信監視制御信号＃１が選択（採用）される。
【０１３１】
そして、回線番号＃１の回線状態信号＃１が異常の時には、回線番号＃２の回線状態信号＃１が正常であれば、残りの回線状態に関係なく、選択回線番号＃２を選択指示信号として出力し、選択部４２において受信監視制御信号＃２が選択（採用）される。
そして、回線状態信号＃１及び＃２が異常の時には、回線状態信号＃３が正常であれば、選択回線番号＃３を選択指示信号として出力し、選択部４２において受信監視制御信号＃３が選択（採用）され、全ての回線状態信号＃１〜＃３が異常の時には、どれも採用しない。
【０１３２】
下位装置の分配選択処理部１４は、分配選択処理部１３と同様の構成であるが、上り又は下り回線に対する制御が逆になるため、図の上部を下り回線に関する制御部分、図の下部を上り回線に関する制御部分とすると、分配部４３と、選択制御部４１及び選択部４２の上下配置が逆になる。
また図８の配置に対応した場合に、分配選択処理部１４は、図１１に示した構成図において左右が逆になり、下り回線（図において左→右）が光伝送路４に対して受信方向となり、上り回線（図において左←右）が送信方向となる。
【０１３３】
すなわち、下り回線に対する制御部分である選択制御部４１及び選択部４２は、左方向から入力される複数の受信監視制御信号から回線品質が良好な回線の信号を選択して１つの（下り）受信監視制御信号を監視制御部８に出力し、上り回線に対する制御部分である分配部４３は、右方向から監視制御部８によって入力される（上り）監視制御信号を分配し、複数の（上り）監視制御信号を出力する。
【０１３４】
上記説明のように、第１の構成例では、送信側の分配部４３の働きによって、複数回線を用いて共通の監視制御信号を送信し、受信側の選択制御部４１及び選択部４２に働きによって、回線状態の良好な回線で伝送された監視制御信号を信頼性の高い監視制御信号として採用することができる。
【０１３５】
次に、分配選択処理部１３′、１４′の内部構成に関し、回線状態信号及び多数決実行信号に基づいて、回線状況が良好な回線で伝送され、且つ誤りの少ない監視制御信号を信頼性の高い監視制御信号を選択する第２の構成例について第１の構成例との違いを中心に説明する。
尚、分配選択処理部１３′と分配選択処理部１４′とは上り又は下り回線に対する制御が逆になるだけの違いなので、代表して分配選択処理部１３′の例で、図１３を使って説明する。図１３は、本発明の第３の光デジタル伝送装置の分配選択処理部１３′における第２の構成例を示すブロック図である。尚、図１３において、図１１と同様の構成には同一の符号を付して説明する。
【０１３６】
第３の装置の分配選択処理部１３′における第２の構成例としては、基本的には第１の構成例と同様で、選択制御部４１′と、選択部４２と、分配部４３とから構成されているが、選択制御部４１′の制御動作が第１の構成例の選択制御部４１とは異なっている。
【０１３７】
第２の構成例の特徴部分である選択制御部４１′について説明する。
選択制御部４１′は、複数のデジタル光Ｉ／Ｆ部３′-1〜３′-nの品質監視部３３が出力する回線状態信号＃１〜＃ｎと、複数の多重分離部２″-1〜２″-nが出力する多数決実行信号＃１〜＃ｎとを入力して、回線状態が良好な回線で伝送され、且つ誤りの少ない信号を１つ選択し、選択結果（選択信号番号）を選択指示信号として出力するものである。
【０１３８】
ここで、回線状態の正常／異常に関しては、第１の構成例に示したとおりである。
誤りの少ない回線とは、例えば、監視制御信号の誤り訂正を行ったか否かで判断する。これは、例え回線状態が良くても、監視制御信号にbit誤りが生じ、誤りの方の数が多ければ、多数決結果は誤ってしまう可能性があり、なるべく多数決実行が行われていない信号の方が信頼性が高いということである。
よって、第２の構成例では、各回線に対応するデジタル光I/F部３′-1〜３′-nからの回線状態信号の正常／異常と、多重分離部２″-1〜２″-nからの多数決実行信号の実行の有／無に応じて、より信頼性が高いと判断される受信監視制御信号を出力するものである。
【０１３９】
ここで、選択制御部４１′における回線状態が良好な回線で伝送され、且つ誤りの少ない信頼性の高い信号の選択方法及び選択部４２における受信監視制御信号を出力方法について、図１４を使って具体例で説明する。図１４は、本発明の分配選択処理部１３′における第２の構成例の動作イメージを示す説明図である。尚、図１４では、アンテナ数（回線数）ｎ＝２の例を示している。
【０１４０】
選択制御部４１′における回線状態が良好な回線で伝送され、且つ誤りの少ない信頼性の高い信号の選択方法の一例としては、予め回線に優先順位を付けておく。図１４の例では、回線番号の小さい方が優先順位が高いとして設定されているものとする。優先順位は、処理順位としても良い。
【０１４１】
そして、図１４の上方の状態から説明すると、回線状態信号が正常である回線が複数有る場合（図１４では＃１，＃２共、正常）において、多数決実行が行われていない回線が複数有る場合（図１４では＃１，＃２共、実行無）には、より優先順位の高い回線＃１を選択し、当該複数回線の中で多数決実行が行われていない（無）回線が１つであれば、当該回線（＃１又は＃２）を選択し、いずれの回線でも多数決実行が行われてる場合には、より優先順位の高い回線＃１を選択する。
【０１４２】
また、回線状態信号が正常である回線が１つの場合（図１４では＃１又は＃２、正常）には、当該回線で多数決実行が行われている／いないに関わらず、当該回線（正常である＃１又は＃２）を選択する。
【０１４３】
また、回線状態信号が正常である回線が１つもない場合（図１４では＃１，＃２共、異常）においては、当該回線で多数決実行が行われている／いないに関わらず、どの回線も選択しない方法である。
【０１４４】
上記説明のように、第２の構成例では、送信側の分配部４３の働きによって、複数回線を用いて共通の監視制御信号を送信し、受信側の選択制御部４１′及び選択部４２に働きによって、回線状態の良好な回線で伝送され、且つ誤りの少ない（無い）監視制御信号を信頼性の高い監視制御信号として採用することができる。
【０１４５】
本発明の第３の光デジタル伝送装置の動作について、第２の装置との違いを中心に図８を用いて説明する。
本発明の第３の光デジタル伝送装置の例えば下り回線の動作としては、基地局１から複数の（下り）無線信号が対応する回線の多重分離部２″-1〜２″-nに出力されると共に、１つの（下り）監視制御信号が分配選択処理部１３に出力され、分配選択処理部１３で分配されて共通の（下り）監視制御信号が多重分離部２″-1〜２″-nに出力される。
尚、図８において、図を簡単にする都合上、各多重分離部２″-1〜２″-nと分配選択処理部１３との間で、両矢印により両方向のデータ入出力が示され「監視制御信号及び多数決実行信号」と記載されているが、実際には分配選択処理部１３から各多重分離部２″-1〜２″-n方向へのデータ出力は、監視制御信号のみである。
【０１４６】
そして、各多重分離部２″-1〜２″-nにおいて、共通の（下り）監視制御信号に対して繰り返し処理部２２で繰り返し処理が施されて繰り返し監視制御信号が出力され、基地局１からの（下り）無線信号と繰り返し処理部２２からの繰り返し監視制御信号とが時分割多重されて（下り）デジタル無線信号が出力され、各デジタル光Ｉ／Ｆ部３′-1〜３′-nでＥ／Ｏ変換されて光信号となり、光多重分離部１１で光多重されて、光伝送路４に出力されて送信される。
【０１４７】
そして、光伝送路４で光伝送され受信された（下り）デジタル無線信号の光信号が、光多重分離部１２で光分離されて各デジタル光Ｉ／Ｆ部５′-1〜５′-nでＯ／Ｅ変換されて（下り）デジタル無線信号が対応する多重分離部６″-1〜６″-nに出力されると共に、各デジタル光Ｉ／Ｆ部５′-1〜５′-nでは回線状態が監視されて、回線状態信号が分配選択処理部１４に出力される。
【０１４８】
一方、各多重分離部６″-1〜６″-nにおいては、入力された（下り）デジタル無線信号が（下り）無線信号及び（下り）繰り返し監視制御信号に分離され、（下り）無線信号は対応する各無線部７-1〜７-nに出力されて、無線部７-1〜７-nで変調され、増幅器９-1〜９-nで増幅されてアンテナ１０-1〜１０-nから発信される。
【０１４９】
また、各多重分離部６″-1〜６″-nにおいては、分離された（下り）繰り返し監視制御信号に対して多数決処理部２７で多数決処理が施されて監視制御信号と多数決実行の有無を示す多数決実行信号が分配選択処理部１４に出力される。
【０１５０】
分配選択処理部１４では、第１の構成で実現されている場合には、各デジタル光Ｉ／Ｆ部５′-1〜５′-nからの回線状態信号に従って、回線状況が良好な回線が信頼性の高い回線として選択され、各多重分離部６″-1〜６″-nからの誤り訂正された監視制御信号の中で選択された回線の監視制御信号が（下り）監視制御信号として監視制御部８に出力されて、監視制御部８において光伝送路４を挟む両装置間の監視・制御に用いられる。
【０１５１】
一方、分配選択処理部１４が第２の構成で実現されている場合には、各デジタル光Ｉ／Ｆ部５′-1〜５′-nからの回線状態信号と、各多重分離部６″-1〜６″-nからの多数決実行信号にに従って、回線状況が良好で且つ誤りの無い回線が信頼性の高い回線として選択され、各多重分離部６″-1〜６″-nからの誤り訂正された監視制御信号の中で選択された回線の監視制御信号が（下り）監視制御信号として監視制御部８に出力されて、監視制御部８において光伝送路４を挟む両装置間の監視・制御に用いられる。
【０１５２】
また、上り回線の動作は、下り回線の場合と同様に、監視制御部８からの１つの（上り）監視制御信号が分配選択処理部１４に出力され、分配選択処理部１４で分配されて共通の（上り）監視制御信号が多重分離部６″-1〜６″-nに出力され、繰り返し処理が為された後に各無線部７-1〜７-nからの無線信号と共に時分割多重されて、各デジタル光Ｉ／Ｆ部５′-1〜５′-nでＥ／Ｏ変換されて光信号となり、光多重分離部１１で光多重されて、光伝送路４に出力されて送信される。
尚、図８において、各多重分離部２″-1〜２″-n及び分配選択処理部１３の場合と同様に、実際には分配選択処理部１４から各多重分離部６″-1〜６″-n方向へのデータ出力は、監視制御信号のみである。
【０１５３】
そして、光伝送路４で光伝送され受信された（上り）デジタル無線信号の光信号が、光多重分離部１１で光分離されて各デジタル光Ｉ／Ｆ部３′-1〜３′-nでＯ／Ｅ変換されて（上り）デジタル無線信号が対応する多重分離部５″-1〜５″-nに出力されると共に、各デジタル光Ｉ／Ｆ部３′-1〜３′-nでは回線状態が監視されて、回線状態信号が分配選択処理部１３に出力される。
【０１５４】
一方、各多重分離部５″-1〜５″-nにおいては、入力された（上り）デジタル無線信号が（上り）無線信号及び（上り）繰り返し監視制御信号に分離され、（上り）無線信号は基地局１に出力される。
【０１５５】
また、各多重分離部５″-1〜５″-nにおいては、分離された（上り）繰り返し監視制御信号に対して多数決処理部２７で多数決処理が施されて監視制御信号と多数決実行の有無を示す多数決実行信号が分配選択処理部１３に出力される。
【０１５６】
分配選択処理部１３では、分配選択処理部１４の場合と同様に、実現されている構成が第１の構成であるか第２の構成であるかに応じて、各デジタル光Ｉ／Ｆ部５′-1〜５′-nからの回線状態信号に従って、又は回線状態信号と各多重分離部６″-1〜６″-nからの多数決実行信号に従って、回線状況の良好な回線、又は回線状況が良好で且つ誤りの無い回線が信頼性の高い回線として選択され、各多重分離部６″-1〜６″-nからの誤り訂正された監視制御信号の中で選択された回線の監視制御信号が（下り）監視制御信号として監視制御部８に出力されて、監視制御部８において光伝送路４を挟む両装置間の監視・制御に用いられる。
【０１５７】
尚、上記説明において、分配選択処理部１３、１４が第１の構成例を実現し、デジタル光Ｉ／Ｆ部３′からの回線状態信号に基づいて信頼性の高い監視制御信号を選択する場合には、多重分離部２″、６″は、多数決実行信号を出力する必要が無く、よって第２の装置で説明した図５の多重分離部２′、６′であっても構わない。
更に、多重分離部２″、６″は、多数決実行信号を出力する必要が無いため、繰り返し処理及び多数決処理を行わない、第１の装置で説明した図２の多重分離部２、６であっても構わない。
【０１５８】
また、上記説明において、分配選択処理部１３，１４での構成例として、回線状態信号に従って信頼性の高い監視制御信号を選択する第１の構成例と、回線状態信号及び多数決状態信号に従って信頼性の高い監視制御信号を選択する第２の構成例とを説明したが、多数決状態信号に従って信頼性の高い監視制御信号を選択するようにしてもよい。
【０１５９】
また、上記説明において、多重分離部２″、６″からは、多数決実行の有無を示す多数決実行信号を出力し、分配選択処理部１３，１４では、多数決実行の有無、すなわち誤りの有無で誤りの少ない監視制御信号を選択したが、多重分離部２″、６″から、多数決実行の有無（誤りの有無）ではなく、多数決の比（誤りの比率）を示す多数決比率信号を出力し、分配選択処理部１３，１４では、多数決比率から誤りの比率で誤りの少ない監視制御信号を選択するようにしてもよい。
【０１６０】
また、上記説明では、各デジタル光Ｉ／Ｆ部３′が回線状態信号を出力するために、品質監視部３３が光／電気変換後の電気信号の状態から回線状態監視・判断を行って回線状態信号を出力するように記載したが、別の方法として、品質監視部３３が光／電気変換前の光信号の状態から回線状態監視・判断を行って回線状態信号を出力するようにしてもよい。
【０１６１】
また、上記説明では、回線状態監視・判断方法の１つとして、送信側の各多重分離部２″（又は６″）で時分割多重する際に、無線信号データの次に挿入する検査信号を用いて、受信側の各デジタル光Ｉ／Ｆ部５′（又は３′）で品質監視を行う方法を記載し、検査信号について送受信双方で既知の信号を用いることを記載したが、検出符号として一般的な誤り検出符号であるＣＲＣコードを用いても良い。
【０１６２】
また、検査信号を用いて回線状態監視・判断を行う場合には、受信側の各デジタル光Ｉ／Ｆ部５′（又は３′）ではなく多重分離部２″（又は６″）で回線状態監視・判断を行うようにしてもよい。
【０１６３】
上記説明において、各デジタル光Ｉ／Ｆ部５′（又は３′）からの回線状態信号に基づいて、選択処理部１４（または１３）内の選択制御部４１または選択制御部４１′で回線状態が良好な回線を選択する際に、何れの回線も「異常」であって、何れの回線も選択しない場合には、その旨を監視制御部８又は基地局１に出力し、監視制御部８又は基地局１の制御として再送要求のための監視制御信号を送信するようにしても良い。
また、再送要求を繰り返し、規定回数だけ上記何れの回線も「異常」状態が連続した場合には、監視制御部８又は基地局１に設けた表示部（図示はせず）等に「光伝送の異常発生」を報知する表示を行うようにしても良い。表示の具体例としては、赤いＬＥＤを表示する例などが考えられる。
【０１６４】
本発明の第３の実施形態に係る光デジタル伝送装置によれば、冗長構成やダイバーシティ構成で複数の無線信号の伝送系（回線）を設けた構成において、下り回線及び上り回線共に、送信側で監視制御信号を分配選択処理部１３又は１４によって分配し、共通の監視制御信号を複数回線の多重分離部２″-1〜２″-n（又は６″-1〜６″-n）で各無線信号と時分割多重して共に光伝送路４を介して伝送し、受信側で複数回線の多重分離部６″-1〜６″-n（又は２″-1〜２″-n）で分離された複数の監視制御信号の中から、分配選択処理部１３（又は１４）によって信頼性の高い監視制御信号を選択するので、監視制御信号の信頼性を向上し、システムの信頼性を向上できる効果がある。
【０１６５】
また、本発明の第３の実施形態に係る光デジタル伝送装置によれば、受信側の構成において、各デジタル光Ｉ／Ｆ部５′-1〜５′-n（又は３′-1〜３′-n）が、受信回線の品質を監視して回線状態信号を出力し、分配選択処理部１３（又は１４）が、当該各回線状態信号に従って回線状態が良好な回線で伝送された監視制御信号を選択して信頼性の高い監視制御信号とするので、監視制御信号の信頼性を向上し、システムの信頼性を向上できる効果がある。
【０１６６】
また、本発明の第３の実施形態に係る光デジタル伝送装置によれば、送信側で共通の監視制御信号に対して各多重分離部２″-1〜２″-n（又は６″-1〜６″-n）で繰り返し処理を施してから伝送し、受信側の構成において、各多重分離部６″-1〜６″-n（又は２″-1〜２″-n）で多数決処理により監視制御信号の誤り訂正を行い、その際多数決実行の有無を示す多数決実行信号を出力し、分配選択処理部１３（又は１４）が、当該各多数決実行信号に従って誤りがない監視制御信号を選択して信頼性の高い監視制御信号とするので、監視制御信号の信頼性を向上し、システムの信頼性を向上できる効果がある。
【０１６７】
また、本発明の第３の実施形態に係る光デジタル伝送装置によれば、受信側の分配選択処理部１３（又は１４）が、各デジタル光Ｉ／Ｆ部５′-1〜５′-n（又は３′-1〜３′-n）からの回線状態信号と各多重分離部６″-1〜６″-n（又は２″-1〜２″-n）からの多数決実行信号とに従って、回線状態が良好な回線で伝送され、且つ誤りがない監視制御信号を選択して信頼性の高い監視制御信号とするので、更に監視制御信号の信頼性を向上し、システムの信頼性を向上できる効果がある。
【産業上の利用可能性】
【０１６８】
本発明は、設備を縮小してコスト削減を図ることができ、更に装置の信頼性を向上できる光デジタル伝送装置に適している。
【図面の簡単な説明】
【０１６９】
【図１】本発明の第１の実施形態に係る光デジタル伝送装置の構成ブロック図である。
【図２】第１の光デジタル伝送装置の多重分離部の内部構成例を示すブロック図である。
【図３】本発明の第１の光デジタル伝送装置のデジタル光Ｉ／Ｆ部の内部構成を示すブロック図である。
【図４】本発明の光デジタル伝送装置の多重分離部における多重化のフォーマット変換の一例を示すフォーマット図である。
【図５】第２の光デジタル伝送装置の多重分離部の内部構成例を示すブロック図である。
【図６】本発明の第２の光デジタル伝送装置の多重分離部における繰り返し処理の具体例を示す説明図である。
【図７】本発明の第２の光デジタル伝送装置の多重分離部における多数決処理の具体例を示す説明図である。
【図８】本発明の第３の実施形態に係る光デジタル伝送装置の構成ブロック図である。
【図９】第３の光デジタル伝送装置の多重分離部の内部構成例を示すブロック図である。
【図１０】第３の光デジタル伝送装置のデジタル光Ｉ／Ｆ部の内部構成例を示すブロック図である。
【図１１】本発明の第３の光デジタル伝送装置の分配選択処理部における第１の構成例を示すブロック図である。
【図１２】本発明の分配選択処理部における第１の構成例の動作イメージを示す説明図である。
【図１３】本発明の第３の光デジタル伝送装置の分配選択処理部における第２の構成例を示すブロック図である。
【図１４】本発明の分配選択処理部における第２の構成例の動作イメージを示す説明図である。
【図１５】一般的に考えられる光デジタル伝送装置の概略構成ブロック図である。
【図１６】光伝送における誤り率対所要Ｓ／Ｎの関係を示す説明図である。
【符号の説明】
【０１７０】
１…基地局、  ２，２′，２″，６，６′，６″…多重分離部、  ３，３′，５，５′…デジタル光Ｉ／Ｆ部、  ４…光伝送路、  ７…無線部、  ８…監視制御部、  ９…増幅器、  １０…アンテナ、  １１，１２…光多重分離部、  １３，１３′，１４，１４′…分配選択処理部、  ２１…マルチプレクス部、  ２２…繰り返し処理部、  ２５…監視制御信号抽出部、  ２６…無線信号抽出部、  ２７，２７′…多数決処理部、  ３１…電気−光変換部、  ３２…光−電気変換部、  ３３…品質監視部、  ４１，４１′…選択制御部、  ４２…選択部、  ４３…分配部
【図１】
2005079788.tif 000003
【図２】
2005079788.tif 000004
【図３】
2005079788.tif 000005
【図４】
2005079788.tif 000006
【図５】
2005079788.tif 000007
【図６】
2005079788.tif 000008
【図７】
2005079788.tif 000009
【図８】
2005079788.tif 000010
【図９】
2005079788.tif 000011
【図１０】
2005079788.tif 000012
【図１１】
2005079788.tif 000013
【図１２】
2005079788.tif 000014
【図１３】
2005079788.tif 000015
【図１４】
2005079788.tif 000016
【図１５】
2005079788.tif 000017
【図１６】
2005079788.tif 000018